(57)【要約】【課題】容器本体への衝撃を低減すると共に、底部品の外れを防止する。【解決手段】容器の底構造において、硬質材料からなる底取付部品23を経由して底保護部品24が容器本体１に取り付けられるため、底部品２が容易に外れないようにすることができ、弾性嵌合帯29，29，29，29を底取付部品23に形成された貫通穴26，26，26，26に挿通して底取付部品23の係止受部35，35，35，35に係止することにより、底保護部品24が容易に外れないようにすることができ、底保護部品24が軟質材料であるため、落下などによる底取付部品23や容器本体１への衝撃を低減することができる。また、底保護部品の外周面41が底取付部品上部の外周面42と面一、若しくは径方向で小さくすることにより、底保護部品24の端面43に誤って手などが引っ掛かって底保護部品24が取付部品23から剥がれることを防止できる。【選択図】図５
2014171517.tif 000002
【特許請求の範囲】
【請求項１】
金属真空二重構造からなる断熱容器本体底部に底部品を備える容器の底構造において、
前記底部品は、上部が開口した有底筒状で前記容器本体に直接取り付けられ、
硬質材料からなる底取付部品と、
軟質材料からなる底保護部品とで構成され、
前記底保護部品は下端面が所定の幅で延長された複数の弾性嵌合帯を備え、
前記弾性嵌合帯には前記底取付部品に係止するための係止部を設け、
前記底取付部品の底面には前記弾性嵌合帯を挿通するための貫通穴を設け、
前記貫通穴の周囲に前記底保護部品の係止部に対応する係止受部を設け、
前記底保護部品が前記底取付部品に係合されることを特徴とする容器の底構造。
【請求項２】
前記底保護部品の外周面と前記底取付部品上部の外周面が面一、
若しくは前記底取付部品上部の外周面が前記底保護部品の外周面よりも径方向に大きくなるように構成された請求項１に記載の容器の底構造。
【発明の詳細な説明】
【技術分野】
【０００１】
本発明は、容器の底構造に関するものである。
【背景技術】
【０００２】
従来、飲料用容器の底構造として、容器本体底部にシリコンカバーを取り付け、金属部材で製造された容器本体底部を保護するものが知られている（特許文献１）。
【０００３】
また、飲料用容器の底構造として、容器本体から底部品が外れないように、有底筒状の底部品を強制嵌合するものが知られている（特許文献２）。
【先行技術文献】
【特許文献】
【０００４】
【特許文献１】特開２００７−３２０６１７号公報
【特許文献２】特開２００９−１７９３８４号公報
【発明の概要】
【発明が解決しようとする課題】
【０００５】
しかしながら、金属製容器本体底部に取り付けられたシリコンカバーは、弾性のみで嵌合されているため、嵌合強度が弱く、容器本体と底部品との隙間に水や洗剤などが入り込んだ場合に外れてしまう虞があった。また、底部品の嵌合強度を高めるために強制嵌合するには硬質材料を使用する必要があるが、硬質材料からなる底部品では落下などによる衝撃を低減できず、容器が金属真空二重構造の場合に容器底部への衝撃で内筒と外筒が接触し、断熱性を保つことができなくなってしまう虞があった。
【０００６】
また、２色成形によって軟質材料を硬質材料と一体に成形することも可能であるが、２色成形には専用の設備が必要であり、一般的に初期投資が多くなり生産コストが上がってしまうという問題があった。
【０００７】
上記事情に鑑み、本発明は、軟質材料からなる底保護部品で容器本体への衝撃を低減すると共に、硬質材料からなる底取付部品で底部品の外れを防止する容器の底構造を提供することを目的とする。
【課題を解決するための手段】
【０００８】
請求項１の発明は、金属真空二重構造からなる断熱容器本体底部に底部品を備える容器の底構造において、前記底部品は、上部が開口した有底筒状で前記容器本体に直接取り付けられ、硬質材料からなる底取付部品と、軟質材料からなる底保護部品とで構成され、前記底保護部品は下端面が所定の幅で延長された複数の弾性嵌合帯を備え、前記弾性嵌合帯には前記底取付部品に係止するための係止部を設け、前記底取付部品の底面には前記弾性嵌合帯を挿通するための貫通穴を設け、前記貫通穴の周囲に前記底保護部品の係止部に対応する係止受部を設け、前記底保護部品が前記底取付部品に係合されることを特徴とする容器の底構造である。
【０００９】
請求項２の発明は、前記底保護部品の外周面と前記底取付部品上部の外周面が面一、若しくは前記底取付部品上部の外周面が前記底保護部品の外周面よりも径方向に大きくなるように構成された請求項１に記載の容器の底構造である。
【発明の効果】
【００１０】
請求項１の発明によれば、硬質材料からなる底取付部品を経由して底保護部品が容器本体に取り付けられるため、底部品が容易に外れないようにすることができる。また、弾性嵌合帯を底取付部品の貫通穴に挿通して底取付部品の係止受部に係止することにより、底保護部品が容易に外れないようにすることができる。さらに、底保護部品が軟質材料であるため、底取付部品や容器本体への衝撃を低減することができる。
【００１１】
また、底取付部品と底保護部品とを別部品とすることで特殊な形成方法は不要で、接着も必要としないので生産性が良い。
【００１２】
さらに、弾性嵌合帯を挿通する貫通穴を底取付部品に設けているため、容器本体と底取付部品の隙間に水が浸入した場合に、その貫通穴を通じて水が排出される。
【００１３】
請求項２の発明によれば、底取付部品上部の外周面が底保護部品の外周面と面一、若しくは径方向で大きくなっているので、誤って底保護部品の端面が引っ掛かって剥がれることを防止することができる。
【図面の簡単な説明】
【００１４】
【図１】本発明の実施例１を示す容器の側面図である。
【図２】同容器の縦断面図である。
【図３】同容器の底面図である。
【図４】同容器の弾性嵌合帯係止前の底部の拡大縦断面図である。
【図５】同容器の弾性嵌合帯係止後の底部の拡大縦断面図である。
【図６】本発明の実施例２を示す容器の底部の拡大縦断面図である。
【発明を実施するための形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】
図１〜５は実施例１を示しており、本実施例の容器は、容器本体１と、該容器本体１の底部に嵌合される底部品２と、該容器本体１の上部に嵌合されるカタ部品３と、該カタ部品３に取り付けられ回動自在に動く取手４と、該カタ部品３に形成されたネジで着脱可能に装着される栓体５とで構成されている。尚、図１において紙面左側を容器の前側、紙面右側を容器の後側、紙面手前側を容器の左側、紙面奥側を容器の右側とする。
【００１７】
前記容器本体１は、上部が開口した有底円筒状の金属真空二重構造であって、断熱性を有する。前記金属真空二重構造は、内筒６と外筒７との上部開口縁を一体に接合して開口部８を形成し、該内筒６と該外筒７との間に真空断熱層９を形成したものである。
【００１８】
前記内筒６は、有底円筒状で底部の縦断面が略Ｕ字形状であり、肩部10が上方の開口部８へ向かって径小となっている。
【００１９】
前記外筒７は、筒部11と底板部12とが一体に接合された有底筒状である。前記底板部12の中央には平面円形であって、真空断熱層９側に浅底状の凹部13が形成されている。この凹部13の外側は円環状の平面部14であり、その外側は上方に向かうにしたがい径大になるようにテーパ面15が形成され、そのさらに外側には円環状の挟幅平面部16が形成されている。この挟幅平面部16の外側は、前記筒部11と平行となるように下方に向かい、前記筒部11の下端面17と前記底板部12の外周端面18とが揃えて接合される。前記外筒７の上部は、肩部19が上方へ向かって２段階に段落ちしながら径小になり、前記内筒６と接合されている。
【００２０】
また、前記外筒７の肩部19やや下の外周面には、前記カタ部品３を嵌合するための嵌合溝20が形成されており、前記外筒７の下部外周面には、前記底部品２を嵌合するための嵌合凸部21と嵌合凹部22が形成されている。
【００２１】
前記底部品２は、合成樹脂等の硬質材料からなる底取付部品23の外側にエラストマー等の軟質材料からなる底保護部品24を係合したものである。落下などによる容器底部への衝撃を低減するため、前記底部品２は前記底板部12と前記嵌合凹部22とを完全に覆うように前記容器本体１の底部に強制嵌合される。
【００２２】
前記底取付部品23の底面25には、同心円上に等間隔で複数の貫通穴26，26，26，26が形成されており、前記底部品２は、それぞれの貫通穴26，26，26，26が容器の前後左右方向に位置するように前記容器本体１に取り付けられる。
【００２３】
前記底部品２を容器本体１に嵌合した際、前記下端面17及び前記外周端面18は前記底取付部品23とは接触しない。
【００２４】
前記底保護部品24は、上端が完全に開口した円筒状であり、下端面27の中央には開口部28を有し、その開口部28の縁から中心方向へ向かって所定の幅で延長された複数の弾性嵌合帯29，29，29，29を備える。前記弾性嵌合帯29，29，29，29は、前記底取付部品23に前記底保護部品24を係合した際に、前記貫通穴26，26，26，26に対応する位置に形成される。
【００２５】
前記弾性嵌合帯29，29，29，29は、付根両端部30Ａ，30Ａ，30Ａ，30Ａが容器の中心方向に凹の円弧状となって前記開口部28の縁に連続している。
【００２６】
また、前記弾性嵌合帯29，29，29，29の下面であって、前記付根両端部30Ａ，30Ａ，30Ａ，30Ａよりやや先端側の部分には、前記弾性嵌合帯29，29，29，29の幅方向に直線状の切り欠き30Ｂが形成されている。前記切り欠き30Ｂは、図４〜６に示すとおり縦断面が半円状であり、前記貫通穴26，26，26，26に前記弾性嵌合帯29，29，29，29を挿入する際、前記弾性嵌合帯29，29，29，29を曲げやすくする効果を有する。
【００２７】
また、前記底保護部品24の内周面には、前記底取付部品23に嵌合するための係合凸部31Ａ，31Ｂが形成されている。前記係合凸部31Ａは、前記底保護部品24の上端部に、前記係合凸部31Ｂは前記下端面27のやや上方に位置する底角部32にそれぞれ形成され、両者は縦断面が略矩形状である。
【００２８】
さらに、前記底保護部品24は、容器を落下させたときに衝撃を受けやすい前記底角部32が最も厚く形成されており、容器底部への衝撃の低減を図っている。なお、前記下端面27は、略一定厚である。
【００２９】
前記弾性嵌合帯29，29，29，29の先端側には、貫通穴である係止部33，33，33，33が形成されている。
【００３０】
前記底取付部品23は、上部が開口した有底円筒状で、前記底面25には前記弾性嵌合帯29，29，29，29を挿通するための前記貫通穴26，26，26，26が形成されている。また、前記底面25の下面中央には円形の凹部34が形成されている。さらに、前記底面25の上面であって、前記貫通穴26，26，26，26と前記底取付部品23の内周面との間には、前記係止部33，33，33，33を引っ掛ける突起状の係止受部35，35，35，35が形成されている。
【００３１】
また、前記底取付部品23の内周面には、前記容器本体１に強制嵌合するための嵌合面部36Ａ，36Ｂ，36Ｃと嵌合受部37Ａ，37Ｂ，37Ｃとが形成されている。該嵌合受部37Ａは、該嵌合受部37Ｂ，37Ｃと比して、幅広となっている。また、前記底取付部品23の外周面には前記底保護部品24を係合するための係合溝38Ａ，38Ｂが形成されている。係合溝38Ａは前記係合凸部31Ａに対応するため、前記底取付部品23の外周面上部に、係合溝38Ｂは前記係合凸部31Ｂに対応するため、前記底取付部品23の外周面下部にそれぞれ形成されている。
【００３２】
また、前記底取付部品23の上端外周面には、上方に向かって径小となるテーパ部39が形成されており、前記底取付部品23の上端面40に手などが引っ掛かって、前記底部品２が誤って外れるのを防止している。
【００３３】
前記貫通穴26，26，26，26は前記弾性嵌合帯29，29，29，29の幅方向が長辺の角丸長方形である。前記貫通穴26，26，26，26は、前記弾性嵌合帯29，29，29，29を挿通した際に、前記弾性嵌合帯29，29，29，29の幅方向及び厚さ方向に隙間ができる程度の大きさで形成されている。これにより、前記容器本体１と前記底取付部品23の隙間に水が浸入しても、前記貫通穴26，26，26，26を通じて排出されるようになっている。
【００３４】
前記底取付部品23は、前記底保護部品24の内側に係合させる。前記底保護部品24の内径は前記底取付部品23の外径よりも小さく、取付け時には前記底保護部品24が伸びた状態となる。また、前記底保護部品24の内周面に形成された前記係合凸部31Ａ，31Ｂと前記底取付部品23の外周面に形成された前記係合溝38Ａ，38Ｂとを係合させることにより、係合強度を高め、前記底保護部品24が容易に外れないようにすることができる。
【００３５】
前記底保護部品24を前記底取付部品23に係合した時には、底保護部品の外周面41と底取付部品上部の外周面42が面一となる。ここで、前記底保護部品の外周面41は、前記係合凸部31Ａの外周面であり、前記底取付部品上部の外周面42は、前記係合溝38Ａと前記テーパ部39との間の外周面である。
【００３６】
これにより、前記底保護部品24の端面43に誤って手などが引っ掛かって前記底保護部品24が前記底取付部品23から剥がれることを防止できる。
【００３７】
さらに、前記底保護部品24に形成された前記弾性嵌合帯29，29，29，29を前記底取付部品23に形成された前記貫通穴26，26，26，26に挿通し、前記弾性嵌合帯29，29，29，29を前記底面25の上面に沿って折り曲げ、前記係止部33，33，33，33を前記係止受部35，35，35，35に係止する。これにより、前記底保護部品24の前記底取付部品23への係合強度をさらに高め、前記底保護部品24が容易に外れないようにすることができる。
【００３８】
図４は、前記弾性嵌合帯29，29，29，29を前記貫通穴26，26，26，26に挿通する前の状態を示し、図５は、前記弾性嵌合帯29，29，29，29を前記貫通穴26，26，26，26に挿通し、前記係止部33，33，33，33を前記係止受部35，35，35，35に係止した状態を示す。
【００３９】
尚、前記底取付部品23に前記底保護部品24を取り付ける方法としては、接着剤などを用いて接着する方法もあるが、本実施例によれば、接着剤などを使用する必要がなく、接着剤の塗布量などの煩雑な生産管理が不要となり、製造工程を短縮することができる。
【００４０】
また、硬質材料からなる前記底取付部品23と軟質材料からなる前記底保護部品24とを２色成形によって一体に成形することも可能であるが、２色成形には専用の設備が必要であり、一般的に初期投資が多くなり生産コストが上がってしまうという問題がある。その点、前記底取付部品23と前記底保護部品24とを別部品とする本実施例によれば、特殊な成形方法が不要となり生産性が向上する。
【００４１】
前記栓体５は、円筒状部44の上側に連続した該円筒状部44よりも径の小さい円筒状部45と、この円筒状部45の上部を閉塞する蓋体46とからなる逆有底筒状に形成され、ロック機構47が位置する前側が高く、ヒンジ48が位置する後側が低い傾斜形状となっている。また、前記円筒状部44の内周面下部には、前記カタ部品３に螺着するための雌ねじ49が形成されている。
【００４２】
前記ロック機構47は、ストッパ50とその上方に位置するロックボタン51と該ロックボタン51を付勢する弾性部材コイルスプリング52とを備える。閉蓋体状態で、前記ロックボタン51に形成されたロックボタン係合部53と前記蓋体46に形成された係合片54とを係合し、前記ストッパ50を上方へスライドさせることにより、係合状態が確実に保持され、前記蓋体46が不用意に開くことがない。
【００４３】
一方、前記蓋体46を開けて飲料を飲む場合には、前記ストッパ55を下方にスライドさせ、前記ロックボタン51の下部を押圧して前記ロックボタン係合部53と前記係合片54との係合を解除する。これにより、前記ヒンジ48を中心に前記蓋体46が回動し、注出口55が開放される。
【００４４】
前記カタ部品３は、円筒状部56とその上側に連続した該円筒状部56よりも径の小さい円筒状部57とからなり、上下部開口の円筒状である。また、前記カタ部品３の内周面下部には前記容器本体１と嵌合するための突出部58が形成され、前記カタ部品３の外周面上部には前記栓体５を螺着するための雄ねじ59が形成されている。
【００４５】
前記突出部58は、前記外筒７に形成された前記嵌合溝20に対応する。また、前記雄ねじ59は、前記栓体５に形成された前記雌ねじ49に対応する。
【００４６】
前記取手４は、前記カタ部品３の左右にそれぞれ取り付けた上下方向に回動自在な合成樹脂製の腕部60，60と、該腕部60，60の間の握り部61とからなる。前記取手４の全体形状はＵ字形状或いは倒コ字形状に形成されている。尚、前記取手４は左右対称に形成されている。
【００４７】
前記握り部61は円弧状であって、前記取手４を容器本体１の前面側に回動させた収納状態で、前記取手４のほぼ全体が前記容器本体１前側面に沿うように配置される。
【００４８】
容器右側の前記腕部60は逆Ｓ字形状に形成され、容器左側の前記腕部60はＳ字形状に形成されている。また、前記腕部60，60のほぼ全体が前記容器本体１側面に沿うように配置される。
【００４９】
前記取手４を前記容器本体１の前面側に回動させた収納状態において、前記腕部60，60の左右面上側約半分の範囲には、複数の円形凹部62が形成されている。前記円形凹部62は、前記取手４を前記容器本体１の前面側に回動させた収納状態において、水平方向に１列３箇所ずつ、下端から２列目は２箇所、最下端は１箇所形成されている。この円形凹部62は、前記取手４を前記容器本体１の前面側に回動させた収納状態において、前記容器本体１を前記取手４と共に両手で包み込むようにして保持し、容器を傾けて飲料をコップ或いは人の口（いずれも図示せず）に注出する際に手から滑り落ちるのを防止するものである。
【００５０】
また、前記取手４を前記容器本体１の前面側に回動させた収納状態において、前記握り部61の前面にも前記腕部60，60同様に複数の円形凹部63が形成されている。前記円形凹部63は、前記取手４を前記容器本体１の前面側に回動させた収納状態において、上下方向に１列２箇所ずつ形成されている。この円形凹部63は、前記容器本体１を前記取手４により吊り下げて前記握り部61を握って持ち運ぶ際に手から滑り落ちるのを防止するものである。
【００５１】
このように本実施例では、請求項１に対応して、金属真空二重構造からなる断熱容器本体１の底部に底部品２を備える容器の底構造において、底部品２は、上部が開口した有底筒状で容器本体１に直接取り付けられ、硬質材料からなる底取付部品23と、軟質材料からなる底保護部品24とで構成され、底保護部品24は下端面27が所定の幅で延長された複数の弾性嵌合帯29，29，29，29を備え、弾性嵌合帯29，29，29，29には底取付部品23に係止するための係止部33を設け、底取付部品23の底面25には弾性嵌合帯29，29，29，29を挿通するための貫通穴26，26，26，26を設け、貫通穴26，26，26，26の周囲に底保護部品24の係止部33に対応する係止受部35を設け、底保護部品24が底取付部品23に係合され、硬質材料からなる底取付部品23を経由して底保護部品24が容器本体１に取り付けられるため、底部品２が容易に外れないようにすることができる。また、弾性嵌合帯29，29，29，29を底取付部品23の貫通穴26，26，26，26に挿通して底取付部品23の係止受部35に係止することにより、底保護部品24が容易に外れないようにすることができる。さらに、底保護部品24が軟質材料であるため、底取付部品23や容器本体１への衝撃を低減することができる。また、底取付部品23と底保護部品24とを別部品とすることで特殊な成形方法は不要で、接着も必要としないので生産性が良い。さらに、弾性嵌合帯29，29，29，29を挿通する貫通穴26，26，26，26を底取付部品23に設けているため、容器本体１と底取付部品23の隙間に水が浸入した場合に、その貫通穴26，26，26，26を通じて水が排出される。
【００５２】
また、本実施例では、請求項２に対応して、底保護部品の外周面41と底取付部品上部の外周面42とが面一になるように構成されているため、誤って底保護部品24の端面43が引っ掛かって剥がれることを防止することができる。
【実施例２】
【００５３】
本発明の実施例２を上記実施例１と同一部分に同一符号を付し、その詳細な説明を省略して詳述する。
【００５４】
図６は本発明の実施例２を示しており、前記底取付部品上部の外周面42が前記底保護部品の外周面41よりも径方向に大きくなるように構成されている。
【００５５】
これにより、前記底保護部品24の端面43に誤って手などが引っ掛かって前記底保護部品24が前記底取付部品23から剥がれることを防止できる。
【産業上の利用可能性】
【００５６】
本発明に係る容器の底構造は、各種の飲料用容器に適用できる。
【符号の説明】
【００５７】
１  容器本体
２  底部品
23  底取付部品
24  底保護部品
25  底面
26  貫通穴
27  下端面
29  弾性嵌合帯
32  係止部
33  外底面
35  係止受部
41  底保護部品の外周面
42  底取付部品上部の外周面
【図１】
2014171517.tif 000003
【図２】
2014171517.tif 000004
【図３】
2014171517.tif 000005
【図４】
2014171517.tif 000006
【図５】
2014171517.tif 000007
【図６】
2014171517.tif 000008